(57)【要約】【課題】  秘匿しなければならない伝達情報量の増加に対応できる構造を有しており、かつ、簡素化された生産ラインで製造することが可能な情報隠蔽用ラベル付葉書シートを提供する。【解決手段】  折部（５，６）を介して連設されている複数紙片（２，３，４）からなる葉書シート（１）の一方の面の全面に剥離可能な接着剤層（７）が設けられ、他方の面のいずれかの紙片部分には前記剥離可能な接着剤層面に剥離可能に貼付できる隠蔽用ラベル（１２）が剥離可能に貼付されており、前記剥離可能な接着剤層の表面は伝達すべき情報（８）を記録できる面であると共に、前記折部（６）において隣接する紙片（３，４）同士を折り重ね、対面する剥離可能な接着剤層同士を圧着することによって剥離可能に貼り合わせることができる面であることを特徴とする情報隠蔽用ラベル付葉書シート。【選択図】  図１
2010240943.tif 000002
【特許請求の範囲】
【請求項１】
折部を介して連設されている複数紙片からなる往復葉書シートの一方の面の全面に剥離可能な接着剤層が設けられ、他方の面のいずれかの紙片部分には前記剥離可能な接着剤層面に剥離可能に貼付できる隠蔽用ラベルが剥離可能に貼付されており、
前記剥離可能な接着剤層の表面は伝達すべき情報を記録できる面であると共に、前記折部において隣接する紙片同士を折り重ね、対面する剥離可能な接着剤層同士を圧着することによって剥離可能に貼り合わせることができる面であることを特徴とする情報隠蔽用ラベル付葉書シート
【請求項２】
前記折部を介して連設されている複数紙片からなる往復葉書シートは、連設されている二枚又は三枚の紙片からなる往信用葉書部分と、一枚の返信用葉書部分からなり、前記隠蔽用ラベルは、往信用葉書部分のあて先情報記録用紙片以外の紙片部分に仮着されていることを特徴とする請求項１に記載の情報隠蔽用ラベル付葉書シート。
【請求項３】
前記折部を介して連設されている複数紙片からなる往復葉書シートは、連設されている二枚の紙片からなる往信用葉書部分と、一枚の返信用葉書部分とからなり、前記隠蔽用ラベルが、往信用葉書部分のあて先情報記録用紙片以外の紙片部分に仮着されていることを特徴とする請求項１又は請求項２に記載の情報隠蔽用ラベル付葉書シート。
【請求項４】
前記隠蔽用ラベルは、平均粒子径が１０〜５０μｍの粘着性微粒子からなる微球型粘着剤を含有する再剥離性粘着剤層を有することを特徴とする請求項１〜請求項３のいずれか１項に記載の情報隠蔽用ラベル付葉書シート。
【請求項５】
前記粘着性微粒子は、平均粒子径が１０〜５０μｍの範囲内で、かつ、ゲル分率が８０〜９５％の範囲内にある、粒子径の異なる２種以上の粘着性微粒子からなることを特徴とする請求項４に記載の情報隠蔽用ラベル付葉書シート。
【発明の詳細な説明】
【技術分野】
【０００１】
本発明は、往信時及び返信時に秘匿すべき情報の記録部を剥離可能なラベルで隠蔽した状態で郵送できる情報隠蔽用ラベル付葉書シートに関する。
【背景技術】
【０００２】
従来、金融機関と顧客との間で契約内容や申し込み内容等に関する情報のやり取りを往復葉書で行う場合の方法として、往信葉書用紙片と返信葉書用紙片からなる２枚の紙片が連設されている往復葉書の往信用葉書面と返信用葉書面に記録した契約内容や申し込み内容等に関する秘匿すべき特定情報を、紙の面に対して貼付と剥離を繰り返し行うことができる粘着剤層を有するラベルで一時的に隠蔽した状態でやり取りする方法が知られている（特許文献１）。
【０００３】
また、近年における伝達すべき情報量の増加に対応できる隠蔽用葉書として、折り畳み可能に連設されている複数紙片からなる往信葉書部分と返信葉書部分とからなる３枚以上の紙片が連設されており、往信時には、往信葉書部分の紙片に秘匿すべき特定情報を記録した後、隣接する紙片面と貼り合わせて秘匿すべき情報記録面を隠蔽した状態で相手方に郵送し、受け取った返信者は、剥離可能に圧着されている接着剤層間を剥離して往信者からの特定情報を見た後、返信用葉書部分に秘匿すべき特定情報を記録し、往復葉書の任意の紙面に貼付されている剥離可能なラベルを剥がし、返信用葉書における情報記録面に貼付して一時的に記録情報を隠蔽した状態で返送できる葉書が知られている（特許文献２、特許文献３）。
【先行技術文献】
【特許文献】
【０００４】
【特許文献１】特開平１１−１０８０号公報
【特許文献２】特開２００１−８８４７２号公報
【特許文献３】特開２００４−１２２６６６号公報
【発明の概要】
【発明が解決しようとする課題】
【０００５】
上記引用文献２や引用文献３に記載されている複数紙片からなる往信葉書部分を有する隠蔽用往復葉書の場合、隠蔽用のラベルは往信時も返信時も往復葉書の紙基材面に剥離可能に貼付できる種類のものであり、往信時に秘匿すべき特定情報を記録する紙片面だけに剥離可能な接着剤層が形成されている。
【０００６】
しかし、上記したタイプの隠蔽用往復葉書の場合、返信葉書部分の隠蔽情報記録面を残して往信葉書部分の隠蔽情報記録面のみに接着剤を正確に塗布するための接着剤塗布工程を有する生産ラインは複雑となることから生産性は必ずしも良くはない。また、返信葉書部分の隠蔽情報記録面をも含めて往復葉書の隠蔽用情報記録面全面を剥離剤塗布面とすると生産ラインを単純化できて生産性は向上するが、従来の情報隠蔽用ラベル付の往復葉書に使用されている隠蔽ラベルは、このような剥離可能な接着剤塗布面への貼付を予定したものではないので、従来のラベルをそのまま使用すると、返信者側からの情報を見るために隠蔽ラベルを剥離した際に、ラベルの粘着剤が情報を記録した剥離可能な接着剤層の表面に糊残りしたり、剥離可能な接着剤層が剥がれて隠蔽情報が正確に読み取れない事態が発生する可能性が高いものとなる。
【０００７】
上記したような、返信葉書部分の隠蔽情報記録面をも含めて往復葉書の隠蔽用情報記録面全面を剥離剤塗布面とした隠蔽用往復葉書は、往信者側からの秘匿されるべき伝達情報量が増加して往信葉書部分の紙片を三枚にする必要が生じた場合であっても対応できる往復葉書となり得るが、この場合、往信葉書部分の三枚目の紙片と対となって貼り合わせる剥離可能な接着剤塗布面を有する四枚目の紙片部分は、返信者側が秘匿すべき情報を記録する面となるので、従来型の隠蔽用ラベルでは前記したような問題が生じるのでそのまま隠蔽用ラベルとして採用することはできない。
【０００８】
本発明は、往信者側からの秘匿しなければならない伝達情報量の増加に対応できる構造を有しており、かつ、従来型の隠蔽用往復葉書に比べて単純な生産ラインで製造することが可能な情報隠蔽用葉書シートを提供することを目的とするものである。
【課題を解決するための手段】
【０００９】
前記目的を達成できる手段について検討を重ねた結果、以下の技術事項によって特定される構造を有する情報隠蔽用ラベル付葉書シートを完成した。
【００１０】
（１）折部を介して連設されている複数紙片からなる往復葉書シートの一方の面の全面に剥離可能な接着剤層が設けられ、他方の面のいずれかの紙片部分には前記剥離可能な接着剤層面に剥離可能に貼付できる隠蔽用ラベルが剥離可能に貼付されており、
前記剥離可能な接着剤層の表面は伝達すべき情報を記録できる面であると共に、前記折部において隣接する紙片同士を折り重ね、対面する剥離可能な接着剤層同士を圧着することによって剥離可能に貼り合わせることができる面であることを特徴とする情報隠蔽用ラベル付葉書シート。
【００１１】
（２）前記折部を介して連設されている複数紙片からなる往復葉書シートは、連設されている二枚又は三枚の紙片からなる往信用葉書部分と、一枚の返信用葉書部分からなり、前記隠蔽用ラベルは、往信用葉書部分のあて先情報記録用紙片以外の紙片部分に仮着されていることを特徴とする（１）項記載の情報隠蔽用ラベル付葉書シート。
【００１２】
（３）前記折部を介して連設されている複数紙片からなる往復葉書シートは、連設されている二枚の紙片からなる往信用葉書部分と、一枚の返信用葉書部分とからなり、前記隠蔽用ラベルが、往信用葉書部分のあて先情報記録用紙片以外の紙片部分に仮着されていることを特徴とする（１）項又は（２）項に記載の情報隠蔽用ラベル付葉書シート。
【００１３】
（４）前記隠蔽用ラベルは、平均粒子径が１０〜５０μｍの粘着性微粒子からなる微球型粘着剤を含有する再剥離性粘着剤層を有することを特徴とする（１）項〜（３）項のいずれかに記載の情報隠蔽用ラベル付葉書シート。
【００１４】
（５）前記粘着性微粒子は、平均粒子径が１０〜５０μｍの範囲内で、かつ、ゲル分率が８０〜９５％の範囲内にある、粒子径の異なる２種以上の粘着性微粒子からなることを特徴とする（４）項記載の情報隠蔽用ラベル付葉書シート。
【発明の効果】
【００１５】
本発明によれば、秘匿しなければならない伝達情報量の増加に対応することができ、かつ、従来型の隠蔽用往復葉書に比べて単純な生産ラインで効率よく製造することが可能な情報隠蔽用葉書シートが提供される。
【図面の簡単な説明】
【００１６】
【図１】本発明に係る情報隠蔽用ラベル付葉書シートを連接する紙片が３片のものに適用した例の平面図である。
【図２】図１（ａ）のＡ−Ａ断面図である。
【図３】本発明に係る情報隠蔽用ラベル付葉書シートの実施例を示すもので、（ａ）は一方の面から見た立体図、（ｂ）はもう一方の面から見た立体図である。
【発明を実施するための形態】
【００１７】
以下、図面を参照して、本発明の情報隠蔽用ラベル付葉書シートの内容を詳細に説明する。
図１において、符号１は葉書シートで、第一紙片２、第二紙片３及び第三紙片４が折部５及び折部６を介して順次連接された構造を有している。
図１の（ｂ）に示されている葉書シート１の一方の面には、図２の断面図に示されるように、全面に剥離可能な接着剤層７が塗布されており、さらに接着剤層７の面には各種案内文８と共に秘匿されるべき情報を記入する特定情報記入欄９が印刷等により設けられている。また、図１の（ａ）に示されるもう一方の面には、往信時の宛先１０と返信時の宛先１１が印刷等により設けられていると共に、特定情報記入欄９を覆って剥離可能に貼付される情報隠蔽用ラベル１２が剥離可能な状態で貼付されている。
【００１８】
再剥離可能な接着剤層７は、接着剤層７同士を対面させて圧等の一定条件を与えて貼り合わせることが可能であり、かつ、接着後には両接着剤層７，７の界面において容易に引き剥がすことができる接着剤層であり、例えば、図３（ａ），（ｂ）に示されるように、第二紙片３と第三紙片４の該接着剤層７の面が対面するように折部６で折り返した後に接着剤層７同士を圧着して該第二紙片３と該第三紙片４を一体化すると共に第一紙片２の該接着剤層７の面が外向きとなるように折部５で折り返せば、通常の往復葉書と同様の形態となるため、郵便物として使用可能となる。
【００１９】
上記葉書シート１は、往信受取人へ郵送された後、受取人が剥離可能な接着剤層７同士が圧着されて一体となっている第二紙片３と第三紙片４とを接着剤層７，７の接着界面において引き剥がして両接着剤層７の表面を露出させることによって、該第二紙片３と該第三紙片４の該接着剤層面に記載されている往信時秘匿情報８を読み取ることが可能となる。
【００２０】
往信時に隠蔽されていた往信時秘匿情報８を読み取った受取人は、第一紙片２を第二紙片３から折部５において切り離し、第一紙片２に設けられた返信時秘匿情報記入欄９へ返信時に秘匿されるべき情報、例えば、各種個人情報等を記入した後、予め貼付されて来た情報隠蔽用ラベル１２を第二紙片３より剥がし取り、該返信時秘匿情報記入欄９を覆い隠すように貼替える。
【００２１】
返信時秘匿情報記入欄９に情報隠蔽用ラベル１２が貼られて記入された返信時秘匿情報が隠蔽された状態とされた第一紙片２は、その反対面に返信時の宛先１１が記入されているので、そのまま受取人は第一紙片２を返信用葉書として投函することができる。
【００２２】
図２に示されるように、情報隠蔽用ラベル１２は、紙片３の紙基材面に対しても、剥離可能な接着剤層７の面に対しても貼付と剥離を繰り返すことができる粘着剤層１４をラベル基材１３面に塗布して形成されている。
【００２３】
上記隠蔽用ラベルのラベル基材１３としては、例えば、上質紙、アート紙、コート紙、キャスト紙等の印刷用紙、静電記録用紙、インクジェット記録用紙等の情報記録用紙、その他クラフト紙、含浸紙、低サイズ紙、水溶紙等の紙基材、また、ＰＥＴフィルム、ＰＥフィルム、ＰＰフィルムや合成紙、不織布等の樹脂フィルム基材等が使用できる。
【００２４】
上記粘着剤層１４には、往復葉書の葉書シート１面にも、往復葉書の剥離可能な接着剤層７の面にも貼付と剥離を繰り返し行うことができる特性を備えている粘着剤であれば、公知の粘着剤を使用することができる。使用できる粘着剤は、天然ゴムや合成ゴムをベースにしたゴム系や、アクリル系、ＳＢＲ系、シリコーン系等の合成樹脂をベースにしたもの等から目的にあうものを選択して採用することが可能であり、形態としては、エマルジョン型、溶剤型、無溶剤型等、特に制限はない。エポキシ化合物やイソシアネート化合物等の架橋剤を併用し、熱硬化、あるいは紫外線や電子線硬化するタイプのものの中にも使用可能なものがある。
【００２５】
本発明の情報隠蔽用ラベル付葉書シートの隠蔽ラベル用の粘着剤層の形成には、粘着性微粒子を含有する粘着剤が糊残りがなく、ラベル基材との密着性にも優れているので適していることが判明している。そのような粘着性微粒子を含有する粘着剤としては、特開２００５−１２６４７９号公報に開示されている再剥離性粘着シートの粘着剤層の形成に使用されている粘着剤等が好ましく、平均粒子径が１０〜５０μｍの範囲にあり、ゲル分率、平均粒子径を異にしている２種以上の粘着微粒子を含有する粘着剤が本発明の隠蔽用ラベルの粘着剤層の形成に特に好ましいことが判明している。このような好ましい粘着剤を用いたラベルの具体例としては、商品名「リアタック」（王子タック社製）等が挙げられる。
【００２６】
なお、各種被着体面への貼付と剥離を繰り返すことができる粘着剤層を形成するために、粘着剤層の被着体面に貼付する表面側に各種インキによる糊殺し印刷を施すことも知られているので、隠蔽用ラベルの粘着剤１４の第二紙片３と相対する表面に各上記のような各種インキによる糊殺し印刷を施すことにより、往復葉書シート面と剥離可能な接着剤層面に対する貼付と剥離を繰り返し行うことができる粘着剤層を形成することが可能であれば、ラベルの粘着剤層をそのような公知の糊殺し印刷面を有する粘着剤層とすることもできる。
【００２７】
以上説明した本発明の構成により、情報量が著しく増加する環境にあっても、葉書のデザインやレイアウトの制限を可能な限り無くし、葉書の加工を効率よく行なうことが可能となる。
【符号の説明】
【００２８】
１：葉書シート
２：第一紙片
３：第二紙片
４：第三紙片
５：折部
６：折部
７：接着剤層
８：往信時秘匿情報
９：返信時秘匿情報記入欄
１０：往信時の宛先
１１：返信時の宛先
１２：情報隠蔽用ラベル
１３：ラベル基材
１４：粘着剤層
【図１】
2010240943.tif 000003
【図２】
2010240943.tif 000004
【図３】
2010240943.tif 000005